(57)【要約】【課題】携帯可能式電源装置のアクチュエータに適用可能であって、節電効果が極めて高いアクチュエータ用節電装置を提供すること。【解決手段】携帯可能式電源と、携帯可能式電源の過充電を防止して充電する充電回路と、制御システムを作動することにより設備機構の動作を制御する制御回路と、携帯可能式電源と系統全体の連結を起動する電源起動回路と、制御回路に制御指令を転送し、節電機能の検知および起動をするＣＰＵ回路と、電源起動回路のトリガーとして、電源起動回路が触発された後に電源制御回路を起動する制御スイッチとを含む。【選択図】図２
2007295704.tif 000002
【特許請求の範囲】
【請求項１】
系統全体の必要な電源を供給する携帯可能式電源と、
前記携帯可能式電源を過度に充電しないように充電する充電回路と、
制御システムを作動することにより設備機構の動作を制御する制御回路と、
前記携帯可能式電源と系統全体の連結を起動する電源起動回路と、
前記制御回路に制御指令を転送し、節電機能の検知および起動をするＣＰＵ回路と、
前記電源起動回路のトリガーとし、前記電源起動回路が触発された後に電源制御回路を起動する制御スイッチとを含むことを特徴とする、
アクチュエータ用節電装置。
【請求項２】
前記携帯可能式電源は蓄電池であることを特徴とする、請求項１に記載のアクチュエータ用節電装置。
【請求項３】
前記電源制御回路は一組のリレーから構成されることを特徴とする、請求項１に記載のアクチュエータ用節電装置。
【請求項４】
前記電源起動回路は、トランジスター、ホトカプラ、またはリレーであることを特徴とする、請求項１に記載のアクチュエータ用節電装置。
【発明の詳細な説明】
【技術分野】
【０００１】
本発明は、節電装置に係り、特に、携帯可能式エネ装置（携帯可能な電源装置）のアクチュエータに適用可能であり、設備が所定時間に使用されない場合には、電力を遮断可能であり、携帯可能式電源装置の自己放電を無視でき、節電効果が極めて高いアクチュエータ用節電装置に関するものである。
【背景技術】
【０００２】
図１に示すのは従来の携帯可能式電源装置の概略図であって、主に、電源回路と、スイッチ回路と、充電回路と、制御回路とを含む。
【０００３】
従来の携帯可能式電源装置の使用形態は三つある。
【０００４】
一つ目は、ユーザーが手動でスイッチ回路をオンにして、電源回路がエネ（電流）を制御回路に供給し、電源回路のエネ（電圧）が不足のときには、充電回路が電源回路を充電する。
【０００５】
二つ目は、スイッチ回路が何時もオン状態にされ、ユーザーが手動でスイッチ回路をオンにすることが必要なく、電源回路が何時もエネ（電流）を制御回路に供給し、電源回路のエネ（電圧）が不足のときには、充電回路が電源回路を充電し、設備が働かない場合には、制御回路がスタンドバイ・モードに入るが、このモードでもエネ（電力）が少量に消耗する。
【０００６】
三つ目は、スイッチ回路が何時もオン状態にされ、ユーザーが手動でスイッチ回路をオンにすることが必要なく、電源回路が何時もエネ（電流）を制御回路に供給し、電源回路のエネ（電圧）が不足であるときには、充電回路が電源回路を充電し、設備が働かない場合には、制御回路がスタンドバイ・モードに入らないので、エネ（電力）が大量に消耗する。
【発明の開示】
【発明が解決しようとする課題】
【０００７】
本発明の主な目的は、携帯可能式電源装置のアクチュエータに適用可能であり、設備が所定時間に使用されない場合には、電力を遮断可能であり、携帯可能式電源装置の自己放電を無視でき、節電効果が極めて高いアクチュエータ用節電装置を提供することにある。
【課題を解決するための手段】
【０００８】
上記目的を達成するためになされた本願の第１発明は、系統全体の必要な電源を供給する携帯可能式電源と、前記携帯可能式電源を過度に充電しないように充電する充電回路と、制御システムを作動することにより設備機構の動作を制御する制御回路と、前記携帯可能式電源と系統全体の連結を起動する電源起動回路と、前記制御回路に制御指令を転送し、節電機能の検知および起動をするＣＰＵ回路と、前記電源起動回路のトリガーとし、前記電源起動回路が触発された後に電源制御回路を起動する制御スイッチとを含むことを特徴とするアクチュエータ用節電装置であることを要旨としている。
【０００９】
本願の第２発明では、前記携帯可能式電源は蓄電池であることを特徴とする前記第１発明に記載のアクチュエータ用節電装置であることを要旨としている。
【００１０】
本願の第３発明では、前記電源制御回路は一組のリレーから構成されることを特徴とする前記第１発明に記載のアクチュエータ用節電装置であることを要旨としている。
【００１１】
本願の第４発明では、前記電源起動回路は、トランジスター、ホトカプラ、またはリレーであることを特徴とする前記第１発明に記載のアクチュエータ用節電装置であることを要旨としている。
【発明の効果】
【００１２】
本発明に係るアクチュエータ用節電装置によれば、次のような効果がある。
（イ）携帯可能式電源装置のアクチュエータに適用可能であり、設備が所定時間に使用されない場合には、電力を遮断可能であり、携帯可能式電源装置の自己放電を無視でき、節電効果が極めて高い。
【００１３】
（ロ）一般の制御ボタンにより電源制御回路を起動することができ、制御ボタンを放したとき、ＣＰＵ回路が電源を管理し、ＣＰＵ回路により節電モードに入る時機が判断されるので、アクチュエータのハイレベルの応用（例えばアクチュエータの位置の記憶、又は病院のベッドの資料収集など）が実現可能になる。
【００１４】
（ハ）環境保全に優しい。
【発明を実施するための最良の形態】
【００１５】
以下、添付図面を参照して本発明の好適な実施の形態を詳細に説明する。
【００１６】
まず、図２と図３を参照する。図２と図３に示すのは、本発明を説明するために挙げた実施例だけであり、本発明の特許請求範囲を限定するためのものではない。
【００１７】
本発明に係るアクチュエータ用節電装置は、携帯可能式電源１（本実施例では蓄電池を例にする）と、充電回路２と、制御回路３と、電源起動回路４と、ＣＰＵ回路５と、制御スイッチ６とを含む。
【００１８】
前記携帯可能式電源１は、系統全体の必要な電源を供給する。
【００１９】
前記充電回路２は、前記携帯可能式電源１を過度に充電しないように充電する。
【００２０】
前記制御回路３は、制御システムを作動することにより設備機構の動作を制御する。
【００２１】
前記電源起動回路４は、前記携帯可能式電源１と系統全体の連結を起動する。
【００２２】
前記ＣＰＵ回路５は、前記制御回路３に制御指令を転送して、節電機能の検知および起動をする。
【００２３】
前記制御スイッチ６は、前記電源起動回路４のトリガーとし、前記電源起動回路４が触発された後に電源制御回路３を起動する。
【００２４】
本発明に係るアクチュエータ用節電装置が作動するときに、蓄電池１と、充電回路２と、電源起動回路４とが連結状態になる。そのため、前記電源起動回路４が作動しなくても、充電回路２は依然として蓄電池１に対して充電する。
【００２５】
また、制御スイッチ６は、前記電源起動回路４と前記ＣＰＵ回路５とを別々に触発することができ、前記制御スイッチ６を押圧したと、ＰＮＰトランジスター７がオン状態になって、その後、ＮＰＮトランジスター８もオン状態になてリレー９もオン状態になり、リレー９もオン状態になったとき、前記電源起動回路４が起動されて、前記ＣＰＵ回路５が働き始めるようになる。
【００２６】
前記ＣＰＵ回路５が、前記制御スイッチ６から転送して来る信号を接収しして、対応する信号を制御回路３に転送する場合には、前記ＣＰＵ回路５が電源起動回路４を制御し始める。このとき、リレー９が導通状態を持続し、前記制御スイッチ６によりＰＮＰトランジスター７がオフ状態にしても、ＮＰＮトランジスター８が前記ＣＰＵ回路５に制御されるので、リレー９が依然として導通状態を持続する。
【００２７】
また、前記制御スイッチ６を放したとき、前記ＣＰＵ回路５により、電源起動回路４は依然として導通状態を持続する。そして節電モードに入る時機になる場合には、前記ＣＰＵ回路５により、ＮＰＮトランジスター８がオフにされてリレー９もオフにされる。このとき、ＣＰＵ回路５と制御回路３への電力供給はゼロになる。そのため、節電効果は極めて高い。
【００２８】
このように、本発明は、特定の例を参照して説明したが、これらは実施例を説明するためだけのものであり、本発明を限定するものではなく、この分野に通常の知識を有する者には、本発明の精神および範囲を逸脱することなく、ここで開示された実施例に変更、追加、または、削除を施してもよい。
【図面の簡単な説明】
【００２９】
【図１】従来の携帯可能式電源装置の概略図である。
【図２】本発明に係る節電装置のブロック図である。
【図３】本発明に係る節電装置の回路を示す概略図である。
【符号の説明】
【００３０】
１        携帯可能式電源            ２        充電回路
３        制御回路                  ４        電源起動回路
５        ＣＰＵ回路                ６        制御スイッチ
７        ＰＮＰトランジスター      ８        ＮＰＮトランジスター
９        リレー
【図１】
2007295704.tif 000003
【図２】
2007295704.tif 000004
【図３】
2007295704.tif 000005